【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
光ファイバを光学的に連結する光クロスバースイッチにおいて、
少なくとも１つの第一のファイバと、複数の第二のファイバと、
少なくとも１つの第一のファイバの一端に連結され且つ、所定の軌道に沿って動くよう規制された可動のファイバ端部キャリッジと、
少なくとも１つの第一のファイバの本体に連結され且つ、ファイバ端部キャリッジと実質的に同一の軌道に沿って動くよう規制された少なくとも１つの可動の弛み制御キャリッジと、
キャリッジを動かすよう制御可能な少なくとも１つの可動の装置とを備え、
少なくとも１つの第一のファイバにおける第一のファイバを複数の第二のファイバにおける第二のファイバに光学的に連結するため、少なくとも１つの可動の装置は、第一のファイバのファイバ端部キャリッジをその軌道に沿って動かし第一のファイバの端部が第二のファイバの一端に光学的に連結される位置となるようにし、また、少なくとも１つの弛み制御キャリッジを動かしてそのファイバ端部キャリッジの動きによって発生された第一のファイバの弛みを取るようにした、光ファイバを光学的に連結する光クロスバースイッチ。
【請求項２】
請求項１に記載の光クロスバースイッチにおいて、第一のファイバの両端は、所定の軌道に沿って可動である異なるファイバ端部キャリッジに連結され、少なくとも１つの可動の装置は、キャリッジを動かして、第一のファイバの端部が異なる第二のファイバの端部に光学的に連結され、第二のファイバを互いに光学的に連結する位置となるようにする、光クロスバースイッチ。
【請求項３】
請求項１又は２に記載の光クロスバースイッチにおいて、少なくとも１つの弛み制御キャリッジは、２つの弛み制御キャリッジを備える、光クロスバースイッチ。
【請求項４】
請求項１ないし３の何れか１つの項に記載の光クロスバースイッチにおいて、第一のファイバを第二のファイバに光学的に連結するため、少なくとも１つの可動の装置は、第一のファイバのファイバ端部キャリッジを動かして、第一のファイバの端部を第二のファイバの端部に面して整合させる、光クロスバースイッチ。
【請求項５】
請求項１ないし４の何れか１つの項に記載の光クロスバースイッチにおいて、第二のファイバの端部は一定の位置に配置される、光クロスバースイッチ。
【請求項６】
請求項１ないし４の何れか１つの項に記載の光クロスバースイッチにおいて、第二のファイバの各々の端部に連結された可動のファイバ端部キャリッジと、第二のファイバの各々の本体に連結された可動の弛み制御キャリッジとを備え、該キャリッジは、所定の軌道に沿って動くよう規制される、光クロスバースイッチ。
【請求項７】
請求項６に記載の光クロスバースイッチにおいて、第一のファイバを第二のファイバに連結するため、少なくとも１つの可動の装置は、第二のファイバのファイバ端部キャリッジを動かして、第二のファイバの端部を第一のファイバの端部に面して整合させる、光クロスバースイッチ。
【請求項８】
請求項６又は７に記載の光クロスバースイッチにおいて、少なくとも１つの第一のファイバのファイバ端部キャリッジの各々の軌道の投影は、全ての第二のファイバのファイバ端部キャリッジの軌道を横断する、光クロスバースイッチ。
【請求項９】
請求項６ないし８の何れか１つの項に記載の光クロスバースイッチにおいて、第一のファイバのファイバ端部キャリッジの軌道の投影は、該第一のファイバが横断する第二のファイバのファイバ端部キャリッジの軌道に対して垂直である、光クロスバースイッチ。
【請求項１０】
請求項６ないし９の何れか１つの項に記載の光クロスバースイッチにおいて、第二のファイバのファイバ端部キャリッジの軌道は平行である、光クロスバースイッチ。
【請求項１１】
請求項６ないし１０の何れか１つの項に記載の光クロスバースイッチにおいて、第二のファイバのファイバ端部キャリッジの軌道は面一である、光クロスバースイッチ。
【請求項１２】
請求項１ないし１１の何れか１つの項に記載の光クロスバースイッチにおいて、少なくとも１つの第一のファイバは、複数の第一のファイバを備える、光クロスバースイッチ。
【請求項１３】
請求項１２に記載の光クロスバースイッチにおいて、第一のファイバのファイバ端部キャリッジの軌道は平行である、光クロスバースイッチ。
【請求項１４】
請求項１２又は１３に記載の光クロスバースイッチにおいて、第一のファイバのファイバ端部キャリッジの軌道は面一である、光クロスバースイッチ。
【請求項１５】
請求項１２又は１３に記載の光クロスバースイッチにおいて、第一のファイバのファイバ端部キャリッジの軌道は面一であり、第二のファイバのファイバ端部キャリッジの軌道は面一であり且つ、各軌道の平面は平行である、光クロスバースイッチ。
【請求項１６】
請求項１ないし１５の何れか１つの項に記載の光クロスバースイッチにおいて、ファイバ端部キャリッジの軌道は直線状の軌道である、光クロスバースイッチ。
【請求項１７】
請求項１ないし１６の何れか１つの項に記載の光クロスバースイッチにおいて、弛み制御キャリッジの軌道は直線状の軌道である、光クロスバースイッチ。
【請求項１８】
請求項１ないし１７の何れか１つの項に記載の光クロスバースイッチにおいて、ファイバ端部キャリッジ及び少なくとも１つの弛み制御キャリッジに連結された所定のファイバの場合、ファイバ本体の少なくとも２本は、ファイバ端部キャリッジと少なくとも１つの弛み制御キャリッジの弛み制御キャリッジとの間を伸び、また、少なくとも１つの弛み制御キャリッジに連結されたファイバ本体の一部分は、その長さに沿って自由に動く、光クロスバースイッチ。
【請求項１９】
光ファイバを光学的に連結する光クロスバースイッチにおいて、
少なくとも１つの第一のファイバと、複数の第二のファイバと、
少なくとも１つの第一のファイバの一端に連結され且つ、所定の軌道に沿って動くよう規制された可動のファイバ端部キャリッジと、
少なくとも１つの第一のファイバの本体に連結されて、ファイバの少なくとも２本がファイバ端部キャリッジと弛み制御キャリッジとの間を伸び且つ、所定の軌道に沿って動くよう規制された少なくとも１つの可動の弛み制御キャリッジと、
キャリッジを動かすよう制御可能な少なくとも１つの可動の装置とを備え、
少なくとも１つの第一のファイバにおける第一のファイバを複数の第二のファイバにおける第二のファイバに光学的に連結するため、少なくとも１つの可動の装置は、第一のファイバのファイバ端部キャリッジをその軌道に沿って動かし第一のファイバの端部が第二のファイバの一端に光学的に連結される位置になるようにし、また、少なくとも１つの弛み制御キャリッジを動かしてそのファイバ端部キャリッジの動きによって発生された第一のファイバの弛みを取るようにした、光ファイバを光学的に連結する光クロスバースイッチ。
【請求項２０】
請求項１８又は１９に記載の光クロスバースイッチにおいて、少なくとも１つの弛み制御キャリッジの弛み制御キャリッジには通路が形成され、ファイバ本体の部分は、この通路を通って進められる、光クロスバースイッチ。
【請求項２１】
請求項１８ないし２０の何れか１つの項に記載の光クロスバースイッチにおいて、少なくとも１つのキャリッジの弛み制御キャリッジには、ファイバの部分が沿う溝が形成される、光クロスバースイッチ。
【請求項２２】
請求項１８ないし２１の何れか１つの項に記載の光クロスバースイッチにおいて、少なくとも１つの弛み制御キャリッジの弛み制御キャリッジは、プーリーホイールを備え、また、ファイバ本体は、プーリーホイールの縁部の領域の回りにループ状に巻かれる、光クロスバースイッチ。
【請求項２３】
請求項１ないし２２の何れか１つの項に記載の光クロスバースイッチにおいて、キャリッジを動かす少なくとも１つの可動の装置は、ファイバ端部キャリッジを把持し且つ、これと同時に、ファイバの少なくとも１つの弛み制御キャリッジを把持するよう制御可能な少なくとも２つのグラバを備える、光クロスバースイッチ。
【請求項２４】
請求項２３に記載の光クロスバースイッチにおいて、グラバは、ファイバのファイバ端部キャリッジ及び少なくとも１つの弛み制御キャリッジをそれらのそれぞれの軌道に沿って同時に動かすよう制御可能である、光クロスバースイッチ。
【請求項２５】
請求項１ないし２４の何れか１つの項に記載の光クロスバースイッチにおいて、キャリッジを動かす少なくとも１つの可動の装置は、キャリッジをその軌道に沿って動かすよう制御可能である、各キャリッジ用のモータを備える、光クロスバースイッチ。
【請求項２６】
請求項１ないし２５の何れか１つの項に記載の光クロスバースイッチにおいて、キャリッジの各々は、キャリッジが沿って動く案内レールに取り付けられる、光クロスバースイッチ。
【請求項２７】
請求項１ないし２６の何れか１つの項に記載の光クロスバースイッチにおいて、受け口の配列を備え、第一のファイバを第二のファイバに光学的に連結するため、少なくとも１つの可動の装置は、第一及び第二のファイバの少なくとも一方のファイバ端部キャリッジを受け口まで動かし且つ、ファイバのファイバ端部を受け口内に挿入する、光クロスバースイッチ。
【請求項２８】
請求項２７に記載の光クロスバースイッチにおいて、受け口は、ファイバと光学的に接触することを可能にする位置にファイバ端部キャリッジを維持する支持体を提供する、光クロスバースイッチ。
【請求項２９】
請求項１ないし２８の何れか１つの項に記載の光クロスバースイッチにおいて、ファイバのファイバ端部キャリッジは、ファイバの端部から出る光を導いて光が別のファイバの端部に入射するよう制御可能である導光器を備える、光クロスバースイッチ。
【請求項３０】
光ファイバを光学的に連結する光クロスバースイッチにおいて、
複数の光ファイバと、
複数の光ファイバの各々の一端に連結され且つ、所定の軌道に沿って動くよう規制された可動のファイバ端部キャリッジと、
各ファイバの本体に連結され且つ、所定の軌道に沿って動くよう規制された少なくとも１つの可動の弛み制御キャリッジと、
キャリッジを動かすよう制御可能な少なくとも１つの可動の装置と、
ファイバ端部キャリッジの各々に連結された導光器であって、任意の対のファイバ及びそれらのそれぞれの軌道に沿ったそれらのファイバ端部キャリッジの少なくとも１組の位置に対して、それらの端部の間にて光を導くよう制御可能である前記導光器と、を備え、
１対のファイバを光学的に連結するため、少なくとも１つの可動の装置は、それらのファイバ端部キャリッジをそれらの導光器がそれらの端部の間にて光を導くよう制御可能である少なくとも１組の位置まで動かす、光ファイバを光学的に連結する光クロスバースイッチ。
【請求項３１】
請求項２９又は３０に記載の光クロスバースイッチにおいて、導光器は、ファイバから出る光を異なる方向に沿って選択的に偏向させるよう制御可能である、光クロスバースイッチ。
【請求項３２】
請求項２９ないし３１の何れか１つの項に記載の光クロスバースイッチにおいて、導光器は、ファイバから出る光を偏向させないよう制御可能である、光クロスバースイッチ。
【請求項３３】
請求項２９ないし３２の何れか１つの項に記載の光クロスバースイッチにおいて、導光器は光パイプを備える、光クロスバースイッチ。
【請求項３４】
請求項２９ないし３３の何れか１つの項に記載の光クロスバースイッチにおいて、導光器は、光を異なる方向に沿って導くよう制御可能である光スイッチを備える、光クロスバースイッチ。
【請求項３５】
請求項３４に記載の光クロスバースイッチにおいて、電子式に制御される、光クロスバースイッチ。
【請求項３６】
請求項３４又は３５に記載の光クロスバースイッチにおいて、音波により制御される、光クロスバースイッチ。
【請求項３７】
光ファイバを光学的に連結する光クロスバースイッチにおいて、
第一の光ファイバと、
前記第一の光ファイバ中の光検出不連続部であって、前記第一の光ファイバ中を伝達される光の一部を該ファイバから出るようにする前記光検出不連続部と、
前記光検出不連続部において前記第一の光ファイバから出る光を検出するように動作可能な第一の光検出器と、
を備える、光クロスバースイッチ。
【請求項３８】
請求項３７に記載の光クロスバースイッチにおいて、
前記第一の光検出器は、前記第一の光ファイバから出る光を検出するために、前記光検出不連続部に近接した動作位置に移動可能である、光クロスバースイッチ。
【請求項３９】
請求項３８に記載の光クローバスイッチにおいて、
前記第一の光検出器は、第一の位置から前記動作位置に移動可能である、光クロスバースイッチ。
【請求項４０】
請求項３９に記載の光クローバスイッチにおいて、前記第一の位置は停止位置である、光クロスバースイッチ。
【請求項４１】
請求項３９に記載の光クローバスイッチにおいて、
前記第一の光検出器は、前記光検出不連続部から第一の距離で、前記第一の光ファイバにおける前記光検出不連続部に整合するように、第一の軸に沿って前記第一の位置から前記動作位置まで移動可能である、光クロスバースイッチ。
【請求項４２】
請求項３７に記載の光クローバスイッチにおいて、
前記光検出不連続部は、前記第一の光ファイバにおける曲がり部によって形成される、光クロスバースイッチ。
【請求項４３】
請求項４２に記載の光クローバスイッチにおいて、
前記曲がり部は、約１ｍｍから約４ｍｍの半径を有する、光クロスバースイッチ。
【請求項４４】
請求項３７に記載の光クローバスイッチにおいて、
複数の第二の光ファイバと、
各第二の光ファイバ中に配置された光検出不連続部であって、各第二の光ファイバ中を伝達される光の一部を該ファイバから出るようにする前記光検出不連続部と、
前記第二の光ファイバから出る光を検出するように動作可能な第二の光検出器と、
を備える光クロスバースイッチ。
【請求項４５】
請求項４４に記載の光クロスバースイッチにおいて、
前記第一の光検出器は、前記第一の光ファイバから出る光を検出するために、前記第一の位置から、前記第一の光ファイバにおける光検出不連続部に近接した選択可能な動作位置まで移動可能であり、
前記第二の光検出器は、前記第二の光ファイバの一つから出る光を検出するために、第一の位置から、前記第二の複数の光ファイバのファイバのうち任意の選択可能な１つにおける光検出不連続部に近接した動作位置に移動可能である、
光クロスバースイッチ。
【請求項４６】
請求項４５に記載の光クロスバースイッチにおいて、
前記第一及び第二の光検出器の各第一の位置は、停止位置である、光クロスバースイッチ。
【請求項４７】
請求項４５に記載の光クロスバースイッチにおいて、
前記第一の光検出器は、前記第一の光ファイバにおける光検出不連続部から第一の距離で、前記第一の光ファイバにおける光検出不連続部に整合するように、第一の軸に沿って前記第一の位置から移動可能であり、また、第一の軸に垂直な第二の軸に沿って、前記第一の光ファイバにおける光検出不連続部から第二の距離まで移動可能である、
光クロスバースイッチ。
【請求項４８】
請求項４７に記載の光クロスバースイッチにおいて、
前記第二の光検出器は、前記第二の光ファイバの１つにおける光検出不連続部から第一の距離で、前記第二の光ファイバの１つにおける光検出不連続部に整合するように、第一の軸に沿って前記第一の位置から移動可能であり、また、第一の軸に垂直な第二の軸に沿って、該第二の光ファイバにおける光検出不連続部から第二の距離まで移動可能である、
光クロスバースイッチ。
【請求項４９】
請求項４８に記載の光クロスバースイッチにおいて、
前記第一の光検出器の移動に関する第一の軸は、前記第二の光検出器の移動に関する第一の軸に垂直である、光クロスバースイッチ。
【請求項５０】
請求項４９に記載の光クロスバースイッチにおいて、
前記第一の光検出器の移動に関する第二の軸は、前記第二の光検出器の移動に関する第二の軸に平行である、光クロスバースイッチ。
【請求項５１】
請求項４４に記載の光クロスバースイッチにおいて、
前記第一の光ファイバ及び前記複数の第二の光ファイバにおける光検出不連続部は、ファイバにおける各曲げ部によって形成される、光クロスバースイッチ。
【請求項５２】
請求項５１に記載の光クロスバースイッチにおいて、
前記曲げ部は、約１ｍｍから約４ｍｍの半径を有する、光クロスバースイッチ。
【請求項５３】
請求項４４に記載の光クロスバースイッチにおいて、
追加の複数の光ファイバをさらに備え、これらの光ファイバが、前記第一の光ファイバとともに、複数の第一の光ファイバを構成し、
各追加の光ファイバが、該ファイバ中を伝達される光の一部を該ファイバから出るようにする光検出不連続部を有し、
前記第一の光検出器は、第一の光ファイバの１つから出る光を検出するために、第一の位置から、前記第一の複数の光ファイバのファイバのうち任意の選択可能な１つにおける光検出不連続部に近接した動作位置に移動可能である、
光クロスバースイッチ。
【請求項５４】
請求項５３に記載の光クロスバースイッチにおいて、
前記第一の複数の光ファイバのファイバに連結される第一のキャリッジ組立体であって、前記複数の第一の光ファイバの選択された一つを、選択された第二の光ファイバの一端に光学的に連結される位置に移動するように動作可能である、前記第一のキャリッジ組立体と、
前記第一のキャリッジ組立体を制御可能に移動させるための第一の可動装置とを備え、
前記第一の光検出器は、前記第一の可動装置に取り付けられており、
前記第一の可動装置は、前記第一の光検出器を、前記複数の第一の光ファイバの選択された一つにおける光検出不連続部に近接して配置するように動作可能である、
光クロスバースイッチ。
【請求項５５】
請求項５３に記載の光クロスバースイッチにおいて、
前記複数の第二の光ファイバのファイバに連結された第二のキャリッジ組立体であって、前記複数の第二の光ファイバの選択された１つを、選択された第一の光ファイバに光学的に連結される位置に移動するように動作可能である、前記第二のキャリッジ組立体と、
前記第二のキャリッジ組立体を制御可能に移動させるための第二の可動装置と更に備え、
前記第二の光検出器は、前記第二の可動装置に取り付けられており、
前記第二の可動装置は、前記第二の光検出器を、前記複数の第二の光ファイバの選択された一つにおける光検出不連続部に近接して配置するように動作可能である、
光クロスバースイッチ。
【請求項５６】
請求項３７に記載の光クロスバースイッチにおいて、
前記第一の光ファイバに連結されたキャリッジ組立体であって、前記第一の光ファイバを、選択された第二の光ファイバに光学的に連結される位置に移動するように動作可能である前記キャリッジ組立体と、
前記第一の光ファイバ用のキャリッジ組立体を制御可能に移動させるための可動装置とを更に備え、
前記第一の光検出器は前記可動装置に取り付けられている、光クロスバースイッチ。